(57)【要約】【課題】材料費の無駄を除くとともに、内容物が入れやすい多層紙袋を提供する。【解決手段】この考案の多層紙袋20は、内層となる筒状体21の長さMを、最外層の筒状体2に形成された上下口部間の長さNと同一、または内層の筒状体21の長さのほうが短くなるように設定した。【選択図】図2
0003122731.tif 000002
【実用新案登録請求の範囲】
【請求項１】
複数層の筒状体からなる多層紙袋において、
最外層の筒状体に形成された上下口部間の長さと、内層の筒状体の長さとを同一、または内層の筒状体の長さのほうが短くなるように設定したことを特徴とする多層紙袋。
【請求項２】
前記内層の筒状体はポリエチレン等の合成樹脂からなるフィルム筒状体であることを特徴とする請求項1に記載の多層紙袋。
【請求項３】
前記最外層の筒状体と前記内層の筒状体とは接着層を介して互いに接着されていることを特徴とする請求項1乃至2に記載の多層紙袋。
【考案の詳細な説明】
【技術分野】
【０００１】
この考案は紙袋に関し、特に最外層を構成する紙製の筒状体内にポリエチレン等の合成樹脂等からなる筒状体を配設するようにした多層紙袋の改良に関する。
【背景技術】
【０００２】
従来からポリエチレン等の合成樹脂からなるフィルム筒状体を紙製の筒状体内に入れた紙袋、いわゆる多層紙袋は、気密性、防湿性、クリーン性等の点で適しているため大量に使用されている。
【０００３】
図5は上述した従来の多層紙袋1(以下単に紙袋と言う)の正面図、図6は図5のAA概念断面図である。
【０００４】
この紙袋1は、図6に示すように2層の筒状体からなり、その最外層の筒状体2はクラフト紙等の紙材で構成され、内層の筒状体3がポリエチレンフィルム等の合成樹脂で形成されている。
【０００５】
そして、紙袋1の口部4(上口部)と底部5の口部5a(下口部)側では、内層の筒状体3と外層の筒状体2との間が接着層6を介して固着され、互いに分離不可能な構造となっている。
【０００６】
なお、この紙袋1の底部5では、内層の筒状体2間は互いに接着されることなく、図5に示す折り曲げ線7に沿って図7で示すように、一方向へ折り曲げ、その後、外層の筒状体2に形成されたカットテープ8付きフラップ9により接着層10を介して封緘されている。
【０００７】
このような紙袋1では、底部５が封緘された後、開放されている口部4から内層の筒状体3間に内容物を収容し、その後、図7で示すように、口部4を図5に示す折り曲げ線11に沿って折り曲げ、底部5と同様に外層の筒状体2に形成されたフラップ12に配設された接着層13を介して封緘するようにしている。
【０００８】
なお、図6に示すように、上述したポリエチレンフィルム等の合成樹脂で形成された内層の筒状体3の上下両端部3a,3bは図5、図6で示すように、外層の筒状体2に形成された口部4および底部5の口部5aから△Lだけそれぞれ突出するように配設されている。
【考案の開示】
【考案が解決しようとする課題】
【０００９】
ところで、上述した従来の多層紙袋1では、図5および図6で示すようにポリエチレンフィルム等の合成樹脂で形成され内層の筒状体3の上下両端部3a,3bは、外層の筒状体2に形成された口部4および底部5の口部5aから△Lだけそれぞれ突出するように配設されおり、資源の節約化の観点から見て材料の無駄となるばかりでなく、口部4から内層の筒状体3間に内容物を収容する際に、当該内層の筒状体3の△Lの部分が邪魔となる難点があった。
【００１０】
上述した課題を解決するため、この考案では、材料費の無駄を除くとともに、内容物が入れやすい多層紙袋を提供することにある。
【課題を解決するための手段】
【００１１】
上述した課題を解決するため、この考案では、複数層の筒状体からなる多層紙袋において、最外層の筒状体に形成された上下口部間の長さと、内層の筒状体の長さとを同一、または内層の筒状体の長さのほうが短くなるように設定するようにしている。
【考案の効果】
【００１２】
上述した、多層紙袋によると、内層となる筒状体の長さを、最外層の筒状体に形成された上下口部間の長さと同一、または内層の筒状態の長さのほうが短くなるように設定したから、内層となる筒状体の材料資源を従来のものと比較して削減することが出来るとともに、口部からの内容物の投入が容易となり、材料コストが低くしかも使い易い多層紙袋を提供することができる。
【考案を実施するための最良の形態】
【００１３】
以下、この考案に係る多層紙袋の一実施例を詳述する。
【００１４】
図1はこの考案に係る多層紙袋20(以下単に紙袋と言う)の正面図、図2は図1のBB概念断面図で、図5、図6と同一部分を同一符号で示す。
【００１５】
この実施例の紙袋20も、図2に示すように従来と同様に2層の筒状体からなり、その最外層の筒状体2はクラフト紙等の紙材で構成され、内層の筒状体21がポリエチレンフィルム等の合成樹脂で形成されている。
【００１６】
そして、紙袋1の口部4(上口部)と底部5の口部5a(下口部)側では、内層の筒状体21と外層の筒状体2との間が接着層6を介して固着され、互いに分離不可能な構造となっている。
【００１７】
また紙袋20の底部5では、内層の筒状体2間は互いに接着されることなく、図1に示す折り曲げ線7に沿って図3で示すように、一方向へ折り曲げ、その後、外層の筒状体2に突出形成されたカットテープ8付きフラップ9により接着層10を介して封緘されている。なお、このフラップ9は別体の当て紙により形成してもよい。
【００１８】
このような紙袋21では、図3に示すように底部5が封緘された後、開放されている口部4から内層の筒状体21間に内容物を収容し、その後、図4で示すように、口部4を図1に示す折り曲げ線11に沿って折り曲げ、底部5と同様に外層の筒状体2に突出形成されたフラップ12に配設された接着層13を介して封緘するようにしている。なお、このフラップ12は別体の当て紙により形成してもよい。
【００１９】
一方、上述した本願考案に係る紙袋21では、図2で示すように上述したポリエチレンフィルム等の合成樹脂で形成され内層の筒状体21の上下両端部21a,21b間の長さMは、外層の筒状体2に形成された口部4および底部5の口部5aとの間の長さNと同一(M=N)となっているから、内層となる筒状体21の材料資源を従来のものと比較して削減することが出来るとともに、図3で示すように内層の筒状休21の上端21aが口部4から突出していないので当該口部4からの内容物の投入が容易となり材料コストが低くしかも使い易い多層紙袋を提供することができる。
【００２０】
なお、上記実施例では、2層の紙袋について詳述したが、この考案は上記実施例に限定されることなく、2層以上の多層紙袋に適用してもよく、また内層の筒状体21はポリエチレンフィルム等の合成樹脂ではなく、紙でもよい。
【００２１】
また、上記実施例では、内層の筒状体2と外装の筒状体21との間を接着層6を介して接着する場合について詳述したが、この考案は上記実施例に限定されることなく内層の筒状体2と外装の筒状体21との間を接着しないものに適用するようにしてもよい。
【００２２】
また、上記実施例ではひだ無し多層紙袋について詳述したが、この考案は上記実施例に限定されることなくひだ付多層紙袋に適用しても良い。
【００２３】
さらに上記実施例では、最外層の筒状体に形成された上下口部間の長さと、内層の筒状体の長さとを同一に設定するようにしたが、この考案は上記実施例に限定されることなく、内層の筒状体の長さのほうが短くなるように設定するようにしてもよい。
【産業上の利用可能性】
【００２４】
以上説明したように、この考案は、材料費の無駄を除くとともに、内容物が入れやすい多層紙袋に適している。
【図面の簡単な説明】
【００２５】
【図１】図1はこの考案に係る多層紙袋の正面図。
【図２】図2は図1のBB断面図。
【図３】図3はこの考案に係る多層紙袋の断面図。
【図４】図4はこの考案に係る多層紙袋の断面図。
【図５】図5は従来の多層紙袋の正面図。
【図６】図6は図5のAA断面図。
【図７】図7は従来の多層紙袋の断面図。
【符号の説明】
【００２６】
4.5a…口部
6…接着層
2,21…筒状体
20…多層紙袋
N…上下口部聞の長さ
M…内層の筒状体の長さ
【図１】
0003122731.tif 000003
【図２】
0003122731.tif 000004
【図３】
0003122731.tif 000005
【図４】
0003122731.tif 000006
【図５】
0003122731.tif 000007
【図６】
0003122731.tif 000008
【図７】
0003122731.tif 000009